(57)【要約】【課題】  線量計の使用台数やラック設置場所に適合した仕様のラックを安価に製作すること。【解決手段】  外部形状が直方体を成し、この直方体に１つの線量計２３を線量計挿入口２７ａから挿入して収納する収納部分が形成されると共に、当該直方体の上下左右の少なくとも１つの外面に、互いに嵌合可能な凹部及び凸部の少なくとも一方が形成されて成るブロック２７を備える。そして、そのブロック２７を複数個用い、これらのブロック２７の凹部及び凸部を嵌合することにより各ブロック２７を上下及び左右の少なくとも一方向に組み合わせる。この周側面をフレームカバー２９で被覆して固定する。【選択図】      図１
2005241451.tif 000002
【特許請求の範囲】
【請求項１】
放射線管理区域内に入域する際に人が携帯する放射線線量計を収納して保管する放射線線量計収納ラックにおいて、
外部形状が直方体を成し、この直方体に放射線線量計を開口から挿入して収納する収納部分が形成されると共に、当該直方体の上下左右の少なくとも１つの外面に、互いに嵌合できる形状の凹部及び凸部の少なくとも一方が形成されて成るブロックを備え、
前記ブロックを複数個用い、この複数のブロックの凹部及び凸部を嵌合することにより各ブロックを上下及び左右の少なくとも一方向に組み合わせて成る
ことを特徴とする放射線線量計収納ラック。
【請求項２】
前記ブロックは、前記放射線線量計に当該放射線線量計の電源を磁力線に感応してオン／オフするスイッチが内蔵されている場合に、そのスイッチを磁力線によってオフとする磁石が当該ブロックの壁内に埋め込まれている
ことを特徴とする請求項１に記載の放射線線量計収納ラック。
【請求項３】
前記ブロックは、前記放射線線量計に当該放射線線量計の電源を機械的にオン／オフするスイッチが内蔵されている場合に、そのスイッチを機械的にオフとする手段が当該ブロックの収納部分に設けられている
ことを特徴とする請求項１に記載の放射線線量計収納ラック。
【請求項４】
前記ブロックの凸部及び凹部は、当該ブロックの上下左右の少なくとも１つの外面に、少なくとも凸部及び凹部の１対で形成され、凸部が棒状を成し、凹部がその棒状の凸部が嵌合される形状を成し、前記開口の縁とその開口の裏面の縁との間を結ぶ方向に平行に形成されている
ことを特徴とする請求項１から３の何れか１項に記載の放射線線量計収納ラック。
【請求項５】
放射線管理区域内に入域する際に人が携帯する放射線線量計を収納して保管する放射線線量計収納ラックにおいて、
外部形状が直方体を成し、この直方体に放射線線量計を開口から挿入して収納する収納部分が形成されると共に、当該直方体の上下左右の少なくとも１つの外面に、互いに係合できる形状の凹部及び凸部の少なくとも一方が形成されて成るブロックを備え、
前記ブロックを複数個用い、この複数のブロックの凹部及び凸部を係合することにより各ブロックを上下及び左右の少なくとも一方向に組み合わせて成る
ことを特徴とする放射線線量計収納ラック。
【請求項６】
前記ブロックとして、前記収納部分の寸法が各々異なり、外形形状が同一である複数種類のブロックを用いた
ことを特徴とする請求項１から５の何れか１項に記載の放射線線量計収納ラック。
【請求項７】
前記複数種類のブロックを同一種類のブロック毎に色分けした
ことを特徴とする請求項６に記載の放射線線量計収納ラック。
【請求項８】
前記ブロックが複数個組み合わされた直方体の周側面を、カバーで被覆した
ことを特徴とする請求項１から７の何れか１項に記載の放射線線量計収納ラック。
【請求項９】
前記カバーを、
長手方向に配列した２枚のスライド板と、
前記スライド板が長手方向に自在に移動可能なように係合されるガイド板と、
前記スライド板をガイド板に係合させた部材を枠状に配置した状態で、その枠の隅部分を固定する固定部材と、
前記スライド板とガイド板とを移動不可能な状態に任意に固定できる固定手段と
を備えて構成したことを特徴とする請求項８に記載の放射線線量計収納ラック。
【請求項１０】
前記ブロックを複数組み合わせた際の各ブロック裏面に当接するプレートを備え、
前記複数組み合わされたブロックの裏面に前記プレートを当接してネジ及びピンの少なくとも１つでプレートと全ブロックとを固定する
ことを特徴とする請求項１から９の何れか１項に記載の放射線線量計収納ラック。
【請求項１１】
外部形状が直方体を成し、この直方体に、放射線管理区域内に入域する際に人が携帯する１つの放射線線量計を、開口から挿入して収納する収納部分が形成されると共に、当該直方体の上下左右の少なくとも１つの外面に、互いに嵌合できる形状の凹部及び凸部の少なくとも一方が形成されて成る
ことを特徴とするブロック。
【請求項１２】
前記放射線線量計に当該放射線線量計の電源を磁力線に感応してオン／オフするスイッチが内蔵されている場合に、そのスイッチを磁力線によってオフとする磁石が当該ブロックの壁内に埋め込まれている
ことを特徴とする請求項１１に記載のブロック。
【請求項１３】
前記放射線線量計に当該放射線線量計の電源を機械的にオン／オフするスイッチが内蔵されている場合に、そのスイッチを機械的にオフとする手段が当該ブロックの収納部分の壁に設けられている
ことを特徴とする請求項１１に記載のブロック。
【請求項１４】
前記凸部及び凹部は、当該ブロックの上下左右の少なくとも１つの外面に、少なくとも凸部及び凹部の１対で形成され、凸部が棒状を成し、凹部がその棒状の凸部が嵌合される形状を成し、前記開口の縁とその開口の裏面の縁との間を結ぶ方向に平行に形成されている
ことを特徴とする請求項１１から１３の何れか１項に記載のブロック。
【請求項１５】
外部形状が直方体を成し、この直方体に、放射線管理区域内に入域する際に人が携帯する１つの放射線線量計を、開口から挿入して収納する収納部分が形成されると共に、当該直方体の上下左右の少なくとも１つの外面に、互いに係合できる形状の凹部及び凸部の少なくとも一方が形成されて成る
ことを特徴とするブロック。
【発明の詳細な説明】
【技術分野】
【０００１】
本発明は、原子力発電所等の放射線管理区域内に入域する際に、作業者が携帯する個人用の放射線線量計（以降、線量計とも称す）を収納して保管する放射線線量計収納ラック及びブロックに関する。
【背景技術】
【０００２】
従来の放射線線量計収納ラック（以降、ラックとも称す）として、例えば特許文献１には、図１０に示すラック１１が記載されている。そのラック１１は、全体が直方体形状を成し、線量計１３を挿入して空洞状の収納部分に収納するための線量計挿入口１５が縦横に多数配列されて形成されている。また、特許文献２にも、図１１に示すように、線量計（図示せず）を挿入して収納するための線量計挿入口１７が縦横に多数配列されたラック１９が記載されている。
【特許文献１】特開２００３−１６７０５５号公報
【特許文献２】特開平１０−３３２８３０号公報
【発明の開示】
【発明が解決しようとする課題】
【０００３】
しかし、上記の特許文献１及び２に記載したような従来の放射線線量計収納ラックにおいては、線量計の使用台数に応じて、ラックに収納する線量計の台数が例えば１０〜２００台等と異なる。また、ラックの設置場所に応じてラックを縦長や横長等の形状としなければならない。このため、線量計の使用台数や設置場所に適合した仕様のラックを、設置の都度、設計・製作しなければならないので、多大な設計及び製作コストがかかるという問題がある。
本発明は、このような課題に鑑みてなされたものであり、線量計の使用台数やラック設置場所に適合した仕様のラックを安価に製作することができる放射線線量計収納ラック及びブロックを提供することを目的としている。
【課題を解決するための手段】
【０００４】
上記目的を達成するために、本発明の請求項１による放射線線量計収納ラックは、放射線管理区域内に入域する際に人が携帯する放射線線量計を収納して保管する放射線線量計収納ラックにおいて、外部形状が直方体を成し、この直方体に放射線線量計を開口から挿入して収納する収納部分が形成されると共に、当該直方体の上下左右の少なくとも１つの外面に、互いに嵌合できる形状の凹部及び凸部の少なくとも一方が形成されて成るブロックを備え、前記ブロックを複数個用い、この複数のブロックの凹部及び凸部を嵌合することにより各ブロックを上下及び左右の少なくとも一方向に組み合わせて成ることを特徴としている。
【０００５】
この構成によれば、放射線線量計が収納できるブロックを、任意数、上下又は左右に凸部と凹部を嵌合して組み合わせるだけで放射線線量計収納ラックを構成することができるので、放射線線量計の使用台数に対応したラックを容易に製作することができる。また、ラック設置場所に応じて縦長や横長等の形状のラックを容易に製作することができる。また、安価に製造できるブロックを組み合わせるだけでラックを製造することができるので、放射線線量計の使用台数やラック設置場所に適合した仕様のラックを安価に製作することができる。
【０００６】
また、本発明の請求項２による放射線線量計収納ラックは、請求項１において、前記ブロックは、前記放射線線量計に当該放射線線量計の電源を磁力線に感応してオン／オフするスイッチが内蔵されている場合に、そのスイッチを磁力線によってオフとする磁石が当該ブロックの壁内に埋め込まれていることを特徴としている。
この構成によれば、ブロックの収納部分に放射線線量計が収納された際に、放射線線量計の電源を自動的にオフとすることができる。
【０００７】
また、本発明の請求項３による放射線線量計収納ラックは、請求項１において、前記ブロックは、前記放射線線量計に当該放射線線量計の電源を機械的にオン／オフするスイッチが内蔵されている場合に、そのスイッチを機械的にオフとする手段が当該ブロックの収納部分に設けられていることを特徴としている。
この構成によれば、ブロックの収納部分に放射線線量計が収納された際に、放射線線量計の電源を自動的にオフとすることができる。
【０００８】
また、本発明の請求項４による放射線線量計収納ラックは、請求項１から３の何れか１項において、前記ブロックの凸部及び凹部は、当該ブロックの上下左右の少なくとも１つの外面に、少なくとも凸部及び凹部の１対で形成され、凸部が棒状を成し、凹部がその棒状の凸部が嵌合される形状を成し、前記開口の縁とその開口の裏面の縁との間を結ぶ方向に平行に形成されていることを特徴としている。
【０００９】
この構成によれば、ブロックの棒状の凸部とこれを嵌合する形状の凹部が、当該ブロックの外面において、開口の縁と裏面の縁との間を結ぶ方向に少なくとも一対が平行に形成されている。従って、このブロックを形成するための金型は、開口側と裏面側との２方向に分離可能な１対の金型で済むので、金型製作費を安価とすることができる。また、金型の分解方向が２方向のみなので、ブロックの製作工数を少なくことができる。
【００１０】
また、本発明の請求項５による放射線線量計収納ラックは、放射線管理区域内に入域する際に人が携帯する放射線線量計を収納して保管する放射線線量計収納ラックにおいて、外部形状が直方体を成し、この直方体に放射線線量計を開口から挿入して収納する収納部分が形成されると共に、当該直方体の上下左右の少なくとも１つの外面に、互いに係合できる形状の凹部及び凸部の少なくとも一方が形成されて成るブロックを備え、前記ブロックを複数個用い、この複数のブロックの凹部及び凸部を係合することにより各ブロックを上下及び左右の少なくとも一方向に組み合わせて成ることを特徴としている。
【００１１】
この構成によれば、放射線線量計が収納できるブロックを、任意数、上下又は左右に凸部と凹部を係合して組み合わせるだけで放射線線量計収納ラックを構成することができるので、放射線線量計の使用台数やラック設置場所に適合した仕様のラックを安価に製作することができる。また、各ブロックを係合させるので、互いを強固に結合させて組み合わせることができる。
【００１２】
また、本発明の請求項６による放射線線量計収納ラックは、請求項１から５の何れか１項において、前記ブロックとして、前記収納部分の寸法が各々異なり、外形形状が同一である複数種類のブロックを用いたことを特徴としている。
この構成によれば、収納部分のサイズが異なっても外形形が同一なので、収納部分のサイズの違いを意識することなく各種のブロックを組み合わせることによって、線量計の使用台数やラック設置場所に適合した仕様のラックを安価に製作することができる。
【００１３】
また、本発明の請求項７による放射線線量計収納ラックは、請求項６において、前記複数種類のブロックを同一種類のブロック毎に色分けしたことを特徴としている。
この構成によれば、ブロック正面等の目に付きやすい箇所を、収納部分の大きさ毎に色分けしておけば、線量計収納時の視認性を良くすることができる。
【００１４】
また、本発明の請求項８による放射線線量計収納ラックは、請求項１から７の何れか１項において、前記ブロックが複数個組み合わされた直方体の周側面を、カバーで被覆したことを特徴としている。
この構成によれば、組み合わせ後の各ブロックをカバーで被覆すれば、各ブロックが外れないように一体に固定することができる。また、カバーに樹脂材料や金属などの硬い材質のものを用いれば、組み合わせ後の各ブロックが衝撃などによって破損しないように保護することができる。
【００１５】
また、本発明の請求項９による放射線線量計収納ラックは、前記カバーを、長手方向に配列した２枚のスライド板と、前記スライド板が長手方向に自在に移動可能なように係合されるガイド板と、前記スライド板をガイド板に係合させた部材を枠状に配置した状態で、その枠の隅部分を固定する固定部材と、前記スライド板とガイド板とを移動不可能な状態に任意に固定できる固定手段とを備えて構成したことを特徴としている。
【００１６】
この構成によれば、必要個数のブロックを組み合わせた直方体の周側面にカバーを合わせて締め付けた後にスライド板とガイド板とを固定手段にて固定させれば、各ブロックを一体に締結することができる。つまり、ブロックを組み合わせた構成体のサイズが、個々に異なる場合でも、これらの異なるサイズの構成体を個別に締結する際に、１つのカバーによって対応することができる。
【００１７】
また、本発明の請求項１０による放射線線量計収納ラックは、請求項１から９の何れか１項において、前記ブロックを複数組み合わせた際の各ブロック裏面に当接するプレートを備え、前記複数組み合わされたブロックの裏面に前記プレートを当接してネジ及びピンの少なくとも１つでプレートと全ブロックとを固定することを特徴としている。
この構成によれば、組み合わせるブロック数が少数の場合や、一時的に放射線線量計収納ラックが必要となった場合に、容易且つ安価にラックを製作することができる。
【００１８】
また、本発明の請求項１１によるブロックは、外部形状が直方体を成し、この直方体に、放射線管理区域内に入域する際に人が携帯する１つの放射線線量計を、開口から挿入して収納する収納部分が形成されると共に、当該直方体の上下左右の少なくとも１つの外面に、互いに嵌合できる形状の凹部及び凸部の少なくとも一方が形成されて成ることを特徴としている。
【００１９】
この構成によれば、１つの放射線線量計が収納できるブロックを、任意数、上下又は左右に嵌合して組み合わせるだけで放射線線量計収納ラックを構成することができる。このブロックは大量生産が可能なので、当該ブロックを大量に製造しておけば、放射線線量計収納ラックの作製依頼があった場合に、その依頼された放射線線量計の使用台数やラック設置場所に適合した仕様のラックを、容易且つ安価に製作することができる。
【００２０】
また、本発明の請求項１２によるブロックは、請求項１１において、前記放射線線量計に当該放射線線量計の電源を磁力線に感応してオン／オフするスイッチが内蔵されている場合に、そのスイッチを磁力線によってオフとする磁石が当該ブロックの壁内に埋め込まれていることを特徴としている。
この構成によれば、ブロックの収納部分に放射線線量計が収納された際に、放射線線量計の電源を自動的にオフとすることができる。
【００２１】
また、本発明の請求項１３によるブロックは、請求項１１において、前記放射線線量計に当該放射線線量計の電源を機械的にオン／オフするスイッチが内蔵されている場合に、そのスイッチを機械的にオフとする手段が当該ブロックの収納部分の壁に設けられている
ことを特徴としている。
この構成によれば、ブロックの収納部分に放射線線量計が収納された際に、放射線線量計の電源を自動的にオフとすることができる。
【００２２】
また、本発明の請求項１４によるブロックは、請求項１１から１３の何れか１項において、前記凸部及び凹部は、当該ブロックの上下左右の少なくとも１つの外面に、少なくとも凸部及び凹部の１対で形成され、凸部が棒状を成し、凹部がその棒状の凸部が嵌合される形状を成し、前記開口の縁とその開口の裏面の縁との間を結ぶ方向に平行に形成されていることを特徴としている。
【００２３】
この構成によれば、ブロックの棒状の凸部とこれを嵌合する形状の凹部が、当該ブロックの外面において、開口の縁と裏面の縁との間を結ぶ方向に少なくとも一対が平行に形成されている。従って、このブロックを形成するための金型は、開口側と裏面側との２方向に分離可能な１対の金型で済むので、金型製作費を安価とすることができる。また、金型の分解方向が２方向のみなので、ブロックの製作工数を少なくすることができる。
【００２４】
また、本発明の請求項１５によるブロックは、外部形状が直方体を成し、この直方体に、放射線管理区域内に入域する際に人が携帯する１つの放射線線量計を、開口から挿入して収納する収納部分が形成されると共に、当該直方体の上下左右の少なくとも１つの外面に、互いに係合できる形状の凹部及び凸部の少なくとも一方が形成されて成ることを特徴としている。
【００２５】
この構成によれば、１つの放射線線量計が収納できるブロックを、任意数、上下又は左右に係合して組み合わせるだけで放射線線量計収納ラックを構成することができる。このブロックは大量生産が可能なので、当該ブロックを大量に製造しておけば、放射線線量計収納ラックの作製依頼があった場合に、その依頼された放射線線量計の使用台数やラック設置場所に適合した仕様のラックを、容易且つ安価に製作することができる。また、各ブロックを係合させるので、互いを強固に結合させて組み合わせることができる。
【発明の効果】
【００２６】
以上説明したように本発明によれば、線量計の使用台数やラック設置場所に適合した仕様のラックを安価に製作することができるという効果がある。
【発明を実施するための最良の形態】
【００２７】
以下、本発明の実施の形態を、図面を参照して説明する。
図１は、本発明の実施の形態に係る放射線線量計収納ラックの構成を示す図である。
図１に示すラック２１は、１つの線量計２３を線量計挿入口２７ａから挿入して収納する直方体のブロック２７を、縦横に必要個数組み合わせて任意の形状とし、この形状の上下左右の側面をフレームカバー２９で被覆して固定することにより構成されている。本実施の形態では、ブロック２７の数は、線量計２３の使用台数に適合した５０個であり、これをラック設置場所に適合するように、縦に１０個、横に５個配列して組み合わせてある。但し、ブロック２７の直方体は、概略直方体形状、立方体及び概略立方体などの平面が方形状の立体を含むものとする。
【００２８】
ブロック２７は、図２に符号２７−１〜２７−３で示すように、線量計２３を挿入して空洞状の収納部分２７ｃに収納するための線量計挿入口２７ａが正面２７ｂに開口されており、上面２７ｄの中央に凸部２７ｅが形成され、下面２７ｆの中央に凹部２７ｇ、左側面２７ｈの中央に凸部２７ｉ、右側面２７ｊの中央に凹部２７ｋが形成されて構成されている。
【００２９】
上面２７ｄの凸部２７ｅと下面２７ｆの凹部２７ｇとは、互いに嵌合されるサイズに形成され、同様に、左側面２７ｈの凸部２７ｉと右側面２７ｊの凹部２７ｋとも、互いに嵌合されるサイズに形成されている。
なお、各凸部２７ｅ，２７ｉと凹部２７ｇ，２７ｋは、ブロック２７を上下左右で嵌合して一体に組み合わすことが可能であれば、上下左右何れの面に形成してもよい。
【００３０】
また、ブロック２７は、熱可塑性の樹脂材料を用いて金型成形によって形成される。樹脂材料としては、ポリスチレン樹脂（ＰＳ）、ＡＳ樹脂（ＡＳ）、ＡＢＳ樹脂（ＡＢＳ）、ＡＣＳ樹脂（ＡＣＳ）、ポリカーボネート樹脂（ＰＣ）、ポリアミド樹脂（ＰＡ）、アセタール樹脂（ＰＯＭ）などが適用される。
また、フレームカバー２９は、上記の樹脂材料や金属などの硬い材質のものを用い、ブロック２７が外れないように固定すると共に衝撃などによって破損しないように保護するものである。なお、フレームカバー２９にゴムなどの弾力性のある材料を用いてもよい。
更に、ブロック２７には、収納部分２７ｃに収納された線量計２３の電源スイッチをオフとする手段が、例えば図３に示すように設けられている。
【００３１】
図３（ａ）に示すように、線量計２３−１に電源３１をＯＮ／ＯＦＦするためのリードスイッチ３２が側面側に内蔵されているとする。この場合、ブロック２７には、そのリードスイッチ３２を磁力線によってＯＦＦとする磁石３３が当該ブロック２７の側壁内に埋め込まれている。但し、磁石３３は、リードスイッチ３２の位置に応じて上下左右何れかの壁内に埋め込まれるようになっている。
【００３２】
また、図３（ｂ）に示すように、線量計２３−２に電源３５をＯＮ／ＯＦＦするための機械的接触型のスイッチ３６が先端部分に内蔵され、そのスイッチ３６の可動接点の延長方向に貫通穴が形成されているとする。この場合、ブロック２７は、その貫通穴から入って可動接点を押すことによりスイッチ３６をＯＦＦとする小さい棒状の突起部３７が形成される構造となっている。
【００３３】
このような構成のブロック２７を用いて、壁掛け型で５０台の線量計２３を収納する仕様の放射線線量計収納ラック２１を製作する場合について説明する。
まず、ブロック２７を線量計２３と同数の５０個用意する。次に、その５０個のブロック２７をラック設置場所に適合するように、縦に１０個、横に５個配列して組み合わせる。この場合、上下で、ブロック２７の凸部２７ｅと凹部２７ｇとが嵌合され、また、左右でブロック２７の凸部２７ｉと凹部２７ｋとが嵌合される。これによって、５０個のブロック２７が直方体形状に一体に組み合わされる。そして、その直方体の上下左右の側面がフレームカバー２９で被覆されて固定される。これによってラック２１が完成する。
【００３４】
この完成後のラック２１は、事業所における所定の壁面に掛けられて固定される。そして、作業者が線量計２３をラック２１の線量計挿入口２７ａから挿入して収納部分２７ｃに収納する。この収納時に、上述したように、磁石３３又は突起部３７によって線量計２３のリードスイッチ３２又はスイッチ３６がＯＦＦとされる。
このような実施の形態の放射線線量計収納ラック２１によれば、外部形状が直方体を成し、この直方体に１つの線量計２３を線量計挿入口２７ａから挿入して収納する収納部分２７ｃが形成されると共に、当該直方体の上下左右の少なくとも１つの外面に、互いに嵌合可能な凹部及び凸部の少なくとも一方が形成されて成るブロック２７を備える。そして、そのブロック２７を複数個用い、これらのブロック２７の凹部及び凸部を嵌合することにより各ブロック２７を上下及び左右の少なくとも一方向に組み合わせる。その嵌合の際に接着剤などで各ブロック２７を接着すれば、フレームカバー２９を用いなくても一体に固着した放射線線量計収納ラック２１を構成することができる。
【００３５】
このように、１つの線量計２３が収納できるブロック２７を、任意数、上下又は左右に組み合わせるだけでラック２１を構成することができるので、線量計２３の使用台数に対応したラックを容易に製作することができる。また、ラック設置場所に応じて縦長や横長等の形状のラック２１を容易に製作することができる。また、安価に製造できるブロック２７を組み合わせるだけでラック２１を製造することができるので、線量計２３の使用台数やラック設置場所に適合した仕様のラック２１を安価に製作することができる。
【００３６】
また、線量計２３に当該線量計２３の電源を磁力線に感応してオン／オフするリードスイッチ３２が内蔵されている場合は、そのリードスイッチ３２を磁力線によってオフとする磁石３３をブロック２７の壁内に埋め込んでブロック２７を形成する。
更に、線量計２３に当該線量計２３の電源を機械的にオン／オフするスイッチ３６が内蔵されている場合は、そのスイッチ３６を機械的にオフとする手段である突起部３７をブロック２７の収納部分２７ｃの壁に設けておく。
【００３７】
これらのようなブロック２７によれば、ブロック２７の収納部分２７ｃに線量計２３が収納された際に、線量計２３の電源を自動的にオフとすることができる。
また、複数のブロック２７が組み合わされた直方体の周側面を、フレームカバー２９で被覆した。このように、組み合わせ後の各ブロック２７をカバーで被覆すれば、各ブロック２７が外れないように一体に固定することができる。また、フレームカバー２９に樹脂材料や金属などの硬い材質のものを用いれば、組み合わせ後の各ブロック２７が衝撃などによって破損しないように保護することができる。
【００３８】
この他の構成のフレームカバーを図４（ａ）及び（ｂ）に示す。この図４に示すフレームカバー２９−１は、上下左右にスライドしてサイズが自在に可変できるようになっている。
即ち、長手方向に配列した２枚のスライド板３８の対向部分を、双方のスライド板３８が長手方向に自在に移動できるように、断面がコ字状のガイド板３９に係合する。このように２枚のスライド板３８をガイド板３９に係合させた部材を４つ用いて四角形の枠状に配置する。そして、その四角形の四隅部分をＬ字型の固定部材４０で固定する。また、スライド板３８とガイド板３９とは、所望のサイズとした後は図示せぬ固定手段によってスライド不可能なように固定されるようになっている。
【００３９】
このようなフレームカバー２９−１を用いれば、必要個数のブロック２７を組み合わせた直方体の周側面にフレームカバー２９−１を合わせて締め付けた後にスライド板３８とガイド板３９とを固定させれば、各ブロック２７を一体に締結することができる。つまり、ブロック２７を組み合わせた構成体のサイズが、個々に異なる場合でも、これらの異なるサイズの構成体を個別に締結する際に、１つのカバーによって対応することができる。
【００４０】
次に、図５を参照して、少数のブロック２７を組み合わせた構成体を一体に締結するプレート４１について説明する。
例えば図５に符号２７−１１〜２７−１４で示すようにブロックが４個の場合は、フレームカバー２９の代わりに、四角形状のプレート４１を各ブロック２７−１１〜２７−１４の裏面に当ててネジ４２で固定してもよい。この場合、各ブロック２７−１１〜２７−１４の裏面中央にネジ穴４３を形成すると共に、プレート４１におけるブロック裏面のネジ穴４３に対応する位置にもネジ穴（又は貫通穴）４４を形成する。ネジ４２の代わりにピンを用いてもよい。この場合は、ネジ穴４３，４４の代わりにピン止め用の穴を形成しておく。
【００４１】
更には、各ブロック２７−１１〜２７−１４の周側面を、ゴムなどの弾力性のあるバンドで締結してもよい。
これらのように各ブロック２７−１１〜２７−１４を一体に固定すれば、組み合わせるブロック数が少数の場合や、一時的に放射線線量計収納ラックが必要となった場合に、容易且つ安価にラックを製作することができる。
【００４２】
次に、図６に放射線線量計収納ラックに用いられる第１の変形例のブロックの構成図を示す。この図６に示すブロック５１−１〜５１−３が、図２に示したブロック２７−１〜２７−３と異なる点を説明する。但し、各ブロック５１−１〜５１−３の個々を、ブロック５１とも称す。
ブロック５１は、線量計２３を挿入して空洞状の収納部分５１ｃに収納するための線量計挿入口５１ａが正面５１ｂに開口されている。上面５１ｄには、線量計挿入口５１ａの縁の近傍から裏面の縁まで、同じ角棒状の２つの凸部５１ｅ−１，５１ｅ−２が互いに平行に形成され、各凸部５１ｅ−１，５１ｅ−２の間に、当該凸部５１ｅ−１（又は５１ｅ−２）と同形状の溝による凹部５１ｇ−３が形成されている。
【００４３】
ブロック５１の下面５１ｆには、線量計挿入口５１ａの縁の近傍から裏面の縁まで、上記凹部５１ｇ−３と同形状の２つの凹部５１ｇ−１，５１ｇ−２が互いに平行に形成され、各凹部５１ｇ−１，５１ｇ−２の間に、上記凸部５１ｅ−１（又は５１ｅ−２）と同形状の凸部５１ｅ−３が形成されている。
ブロック５１の左側面５１ｈには、線量計挿入口５１ａの縁の近傍から裏面の縁まで、上記凸部５１ｅ−１と同形状の凸部５１ｉ−１と、上記凹部５１ｇ−３と同形状の凹部５１ｋ−２とが互いに平行に形成されている。
【００４４】
ブロック５１の右側面５１ｊには、線量計挿入口５１ａの縁の近傍から裏面の縁まで、上記凹部５１ｋ−２と同形状の凹部５１ｋ−１と、上記凸部５１ｉ−１と同形状の凸部５１ｉ−２とが互いに平行に形成されている。
また、下方に配置されるブロック５１−１の上面５１ｄの２つの凸部５１ｅ−１，５１ｅ−２は、上方のブロック５１−３の下面５１ｆの２つの凹部５１ｇ−１，５１ｇ−２に嵌合され、上方のブロック５１−３の下面５１ｆの凸部５１ｅ−１は、下方のブロック５１−１の上面５１ｄの凹部５１ｇ−３に嵌合されるようになっている。
【００４５】
更に、ブロック５１−１の右側面５１ｊの凸部５１ｉ−２は、そのブロック５１−１の右方に配置されるブロック５１−２の左側面５１ｈの凹部５１ｋ−２に嵌合され、この右方のブロック５１の左側面５１ｈの凸部５１ｉ−１は、左方のブロック５１−１の右側面５１ｊの凹部５１ｋ−１に嵌合されるようになっている。
但し、各凸部５１ｅ−１〜５１ｅ−３及び５１ｉ−１，５１ｉ−２と、各凹部５１ｇ−１〜５１ｇ−３及び５１ｋ−１，５１ｋ−２とは、一面に凹部及び凸部が少なくとも１対で平行に形成されており、ブロック５１を上下左右で嵌合して一体に組み合わすことが可能であれば、一面に何本形成してもよい。また、各凸部５１ｅ−１〜５１ｅ−３及び５１ｉ−１，５１ｉ−２と、各凹部５１ｇ−１〜５１ｇ−３及び５１ｋ−１，５１ｋ−２とは、線量計挿入口５１ａの縁の近傍からでなく、線量計挿入口５１ａの縁から裏面の縁まで平行に形成されていてもよい。
【００４６】
ブロック５１に各凸部５１ｅ−１〜５１ｅ−３及び５１ｉ−１，５１ｉ−２と、各凹部５１ｇ−１〜５１ｇ−３及び５１ｋ−１，５１ｋ−２とを本体と一体に形成する場合は、図７に示すような、一対の金型６１，６２を用いる。
一方の金型６１が、ブロック５１の各凸部５１ｅ−１〜５１ｅ−３及び５１ｉ−１，５１ｉ−２と、各凹部５１ｇ−１〜５１ｇ−３及び５１ｋ−１，５１ｋ−２とを一体に形成するための空洞部６１ａを備え、他方の金型６２が、ブロック５１における金型６１で形成される以外の部分を形成するための空洞部６２ａを備えている。
【００４７】
このような金型６１，６２を用いてブロック５１を形成する場合、双方の金型６１，６２の空洞部６１ａ，６２ａに貫通した図示せぬ貫通穴から上述した樹脂材料を流し込む。その後、樹脂材料が硬化した後に各金型６１，６２を前後２方向に引っ張ってブロック５１を取り出す。
このように、第１の変形例のブロック５１を用いれば、金型６１，６２が２つで済むので、図２に示したブロック２７よりも金型製作費を安価とすることができる。また、金型６１，６２の分解方向が２方向のみなので、その分、ブロック製作工数をブロック２７よりも少なくすることができ、これによって、ブロック５１の製作コストを下げることができる。
因みに、ブロック２７を製作する場合は、１つのブロック２７に対して上下・左右・前後の金型が必要となり、また、金型の分解方向が６方向となっていた。
【００４８】
次に、図８に放射線線量計収納ラックに用いられる第２の変形例のブロックの構成図を示す。この図８に示すブロック７１−１〜７１−４が、図２に示したブロック２７−１〜２７−３と異なる点を説明する。但し、各ブロック７１−１〜７１−４の個々を、ブロック７１とも称す。
また、図８においては、図２とは異なり各ブロック７１−１〜７１−４が裏面方向から見て記載されている。従って、ブロック７１における線量計挿入口及びその奥の収納部分は見えない状態となっている。
【００４９】
ブロック７１−１〜７１−４の上面と図８の紙面に向かって左側面には、断面が台形状の細長い凸部７１ｅと７１ｉが形成され、下面と紙面に向かって右側面には、凸部７１ｅ，７１ｉと同断面形状で当該凸部７１ｅと７１ｉが係合される凹部７１ｇと７１ｋが形成されている。また、各凸部７１ｅ，７１ｉと凹部７１ｇ，７１ｋは全てが、線量計挿入口の縁の近傍から裏面の縁まで平行に形成されている。
【００５０】
但し、各凸部７１ｅ，７１ｉと凹部７１ｇ，７１ｋは、各々が平行であって、ブロック７１を上下左右で嵌合して一体に組み合わすことが可能であれば、一面に何本形成してもよい。また、各凸部７１ｅ，７１ｉと凹部７１ｇ，７１ｋは、線量計挿入口５１ａの縁の近傍からでなく、線量計挿入口５１ａの縁から裏面の縁まで平行に形成されていてもよい。
【００５１】
このような第２の変形例のブロック７１によれば、ブロック７１−２の凸部７１ｅとブロック７１−３の凸部７１ｉに、他のブロック７１−４の凹部７１ｇと７１ｋを差し込みながら係合するようにした。
このように各ブロック７１を係合させれば、図２又は図６に示したように各ブロック２７又は５１を嵌合する場合よりも、互いを強固に結合させて組み合わせることができる。
【００５２】
このように強固に結合させて組み合わせることが可能であるが、更に強固に結合させる場合は、図８に示すように、小さい四角形の金具７３を用いてネジ止めする。但し、金具７３は、上下左右にブロック７１−１〜７１−４が４つ組み合わされた構成体の中央で、全てのブロック７１−１〜７１−４をネジ止め可能なサイズであればよい。このように最小限のサイズとすることによって、金具７３の材料費を抑えることができる。
【００５３】
また、その金具７３では、図示はしないが２つ又は３つのブロック７１の組み合わせ体であってもネジ止めすることができる。複数の金具７３を用いれば、４つ以上のブロック７１であっても、全てを一体にネジ止めすることができる。
更に、ブロック７１においても、図７に示したと同様な一対の金型を用いることができるので、図２に示したブロック２７よりも金型製作費を安価とすることができ、ブロック７１の製作コストを下げることができる。
【００５４】
次に、図９に第３の変形例のブロックを組み合わせた放射線線量計収納ラックの構成図を示す。
この図９に示す放射線線量計収納ラック８１が、図１に示した放射線線量計収納ラック２１と異なる点は、収納部分８３ｃ，８５ｃのサイズ（以降、収納サイズとも称す）が異なるが、外形形状は同一である２種類のブロック８３と８５の双方を組み合わせてラック８１を構成したことにある。即ち、ブロック８３の収納部分８３ｃのサイズは、ブロック８５の収納部分８５ｃのサイズと異なる。このラック８１は、サイズの異なる線量計を２種類収納する場合に適用される。また、線量計挿入口８３ａと８５ａもサイズは、同一の場合と異なる場合の両方が考えられる。このラック８１は、サイズの異なる線量計を２種類収納する場合に適用される。
【００５５】
このように、各ブロック８３と８５は、収納サイズが異なっても外形形状が同一なので、収納サイズの違いを意識することなく組み合わせることによって、線量計の使用台数やラック設置場所に適合した仕様のラック８１を安価に製作することができる。
ここでは、ブロックの収納サイズが２種類であるとしたが、３種類以上であっても外形形状が同一であれば、上記同様に収納サイズの違いを意識することなく組み合わせることによって、線量計の使用台数やラック設置場所に適合した仕様のラックを安価に製作することができる。
また、ブロック正面等の目に付きやすい箇所、又はブロック全体の樹脂材料自体を、収納サイズの大きさ毎に色分けしておけば、線量計収納時の視認性を良くすることができる。
【図面の簡単な説明】
【００５６】
【図１】本発明の実施の形態に係る放射線線量計収納ラックの構成を示す図である。
【図２】上記実施の形態に係る放射線線量計収納ラックを組み立てるブロックの構成を示す図である。
【図３】上記ブロックの収納部分に収納された線量計の電源スイッチをオフとする手段を示し、（ａ）はその手段である磁石を示し、（ｂ）はその手段である突起部を示す図である。
【図４】上記実施の形態に係る放射線線量計収納ラックのスライド型のフレームカバーの構成を示し、（ａ）は全体構成を示し、（ｂ）は（ａ）のＡ−Ａ断面図である。
【図５】上記ブロックを複数組み合わせた構成体を締結するプレートを示す図である。
【図６】上記実施の形態に係る放射線線量計収納ラックを組み立てる第１の変形例のブロックの構成を示す図である。
【図７】上記第１の変形例のブロックを製作するための金型を示す図である。
【図８】上記実施の形態に係る放射線線量計収納ラックを組み立てる第２の変形例のブロックの構成を示す図である。
【図９】上記実施の形態に係る放射線線量計収納ラックを第３の変形例のブロックを用いて組み立てた際の構成を示す図である。
【図１０】従来の放射線線量計収納ラックの構成を示す図である。
【図１１】従来の他の放射線線量計収納ラックの構成を示す図である。
【符号の説明】
【００５７】
２１，８１  放射線線量計収納ラック
２３，２３−１，２３−２  放射線線量計
２７，２７−１〜２７−３，２７−１１〜２７−１４，５１−１〜５１−３，７１−１〜７１−４，８３，８５  ブロック
２７ａ，５１ａ，８３ａ，８５ａ  線量計挿入口
２７ｂ，５１ｂ  正面
２７ｃ，２７ｃ，８３ｃ，８５ｃ  収納部分
２７ｄ，２７ｄ  上面
２７ｅ，２７ｉ，５１ｅ，５１ｉ，５１ｅ−１，５１ｅ−２，５１ｅ−３，７１ｅ，７１ｉ  凸部
２７ｆ，５１ｆ  下面
２７ｇ，２７ｋ，５１ｇ，５１ｋ，５１ｇ−１，５１ｇ−２，５１ｇ−３，７１ｇ，７１ｋ  凹部
２７ｈ，５１ｈ  左側面
２７ｊ，２７ｊ  右側面
２９，２９−１  フレームカバー
３２  リードスイッチ
３３  磁石
３５  電源
３６  スイッチ
３７  突起部
３８  スライド板
３９  ガイド板
４０固定部材
４１  プレート
４２  ネジ
４３，４４  ネジ穴
６１，６２  金型
６１ａ，６２ａ  空洞部
７３  金具
【図１】
2005241451.tif 000003
【図２】
2005241451.tif 000004
【図３】
2005241451.tif 000005
【図４】
2005241451.tif 000006
【図５】
2005241451.tif 000007
【図６】
2005241451.tif 000008
【図７】
2005241451.tif 000009
【図８】
2005241451.tif 000010
【図９】
2005241451.tif 000011
【図１０】
2005241451.tif 000012
【図１１】
2005241451.tif 000013